(57)【要約】【課題】映像表示部の蛍光体の経時劣化特性のばらつきに対応した色温度補正が可能な映像表示技術の提供。【解決手段】蛍光体の経時劣化に伴う色温度変化のうち予測される分と予測されない分との両方に対し色温度補正を行うとし、予測されない分の補正は、累積経過時間の第１の時点で、目標の色温度に対する過不足分を求めるとともに、該過不足分の放電パルス数を求めて記憶しておくか、または、該過不足分に基づきその後の第２の時点で行う色温度補正の放電パルス数を該第１の時点において予め設定して記憶しておく。第２の時点では、装置電源がオン状態とされる毎等に、上記設定した放電パルス数により自動色温度補正を行う。【選択図】  図２
2005055526.tif 000002
【特許請求の範囲】
【請求項１】
放電パルスにより蛍光体を発光させ映像表示を行う映像表示装置であって、
上記蛍光体の経時劣化特性に対応した第１の放電パルス数を設定するともに、目標色温度に対する過不足分の第２の放電パルス数を求め、上記第１の放電パルス数に加算して色温度補正の放電パルス数を新たに設定する手段と、
上記新たに設定したパルス数の放電パルスにより上記蛍光体を発光させる手段と、
を備え、上記過不足分を補う色温度補正を自動的に行うことを特徴とする映像表示装置。
【請求項２】
放電パルスにより蛍光体を発光させ映像表示を行う映像表示装置であって、
累積経過時間の第１の時点で、所定の色温度に対し過不足分の放電パルス数を求める手段と、
上記求めた過不足分の放電パルス数と、過去の基準時点から上記第１の時点までに装置が自動的に実施した色温度補正の回数とから、該自動的に実施した色温度補正回数１回あたりの該過不足分の放電パルス数を追加放電パルス数として演算する手段と、
上記演算した追加放電パルス数と、上記第１の時点までに自動的に実施した色温度補正における放電パルス数とを含む色温度補正情報に基づき、上記第１の時点から所定時間経過した第２の時点における色温度補正の放電パルス数を設定する手段と、
を備え、上記第２の時点において、上記設定された放電パルス数により、上記過不足分を補う色温度補正を行う構成を特徴とする映像表示装置。
【請求項３】
放電パルスにより蛍光体を発光させ映像表示を行う映像表示装置であって、
累積経過時間の第１の時点で、所定の色温度に対し過不足分の放電パルス数を求める手段と、
過去の基準時点から上記第１の時点までに装置が自動的に実施した色温度補正の回数と、上記過不足分の放電パルス数とから、上記自動的に実施した色温度補正回数１回あたりの該過不足分の放電パルス数を、追加放電パルス数として演算する手段と、
上記演算した追加放電パルス数と、上記第１の時点までに自動的に実施した色温度補正における放電パルス数とに基づき、上記第１の時点から所定時間経過した第２の時点において実施する色温度補正用の放電パルス数を設定する手段と、上記求めた過不足分の放電パルス数、上記第１、第２の時点を含み自動的に色温度補正を実施する時点、上記自動的に実施した色温度補正回数１回あたりの該過不足分の放電パルス数、または上記第２の時点において実施する色温度補正用の放電パルス数の情報を記憶する手段と、
上記設定したパルス数の放電パルスを形成し、上記第２の時点において駆動信号として出力する手段と、
上記蛍光体を備え、上記放電パルスにより発光し、映像表示を行う表示手段と、
を備え、上記第２の時点において、上記設定された放電パルス数により、上記過不足分を補うように色温度補正した映像を表示する構成を特徴とする映像表示装置。
【請求項４】
上記過不足分の放電パルス数を求める手段は、手動操作により作動する部分を備えて構成される請求項２または請求項３に記載の映像表示装置。
【請求項５】
放電パルスにより蛍光体を発光させ映像表示を行う映像表示装置の色温度補正方法であって、
累積経過時間の第１の時点で、所定の色温度に対し過不足分の放電パルス数を求めるステップと、
上記過不足分の放電パルス数から、上記第１の時点までに自動的に実施した色温度補正回数１回あたりの上記過不足分の放電パルス数を、追加放電パルス数として演算するステップと、
上記追加放電パルス数に基づき、上記第１の時点から所定時間経過した第２の時点における色温度補正の放電パルス数を設定するステップと、
上記設定されたパルス数の放電パルスにより蛍光体を発光させるステップと、を経て、上記過不足分を補う色温度補正を行うことを特徴とする映像表示装置の色温度補正方法。
【請求項６】
放電パルスにより蛍光体を発光させ映像表示を行う映像表示装置の色温度補正方法であって、
累積経過時間がゼロの時点で、上記蛍光体の経時劣化特性の予測に基づき予め、これに対応する放電パルス数及び色温度補正実施時点を含む色温度補正情報を設定し記憶するステップと、
上記記憶した色温度補正情報に基づき第１の補正としての色温度補正を自動的に行うステップと、
累積経過時間の第１の時点で、所定の色温度に対し過不足分の放電パルス数を求めるステップと、
上記求めた過不足分の放電パルス数を記憶するステップと、
上記記憶した過不足分の放電パルス数から、上記第１の時点までに上記第１の補正として自動的に実施した色温度補正回数１回あたりの上記過不足分の放電パルス数を、追加放電パルス数として演算するステップと、
上記演算した追加放電パルス数を記憶するステップと、
上記記憶した追加放電パルス数に基づき、上記第１の時点から所定時間経過した第２の時点における第２の補正としての色温度補正の放電パルス数を設定するステップと、
上記設定したパルス数の放電パルスにより蛍光体を発光させるステップと、
を経て、上記第１の補正に対して上記過不足分を補う色温度補正を、上記第２の補正として行うことを特徴とする映像表示装置の色温度補正方法。
【請求項７】
放電パルスにより蛍光体を発光させ映像表示を行う映像表示装置の色温度補正回路であって、
累積経過時間の第１の時点における過不足分の放電パルス数を求める手段と、
上記求めた過不足分の放電パルス数と、過去の基準時点から上記第１の時点までに装置が自動的に実施した色温度補正の回数とから、該過不足分の放電パルス数の上記自動的に実施した色温度補正１回あたりの放電パルス数を追加放電パルス数として演算する手段と、
上記追加放電パルス数に基づき、上記第１の時点から所定時間経過した第２の時点における色温度補正の放電パルス数を設定する手段と、
を備えた構成を特徴とする映像表示装置の色温度補正回路。
【請求項８】
Ｒ、Ｇ、Ｂの蛍光体を有し、これらの蛍光体を励起して発光させ映像表示を行う映像表示装置であって、
上記蛍光体の経時劣化特性に対応した、上記蛍光体を励起するための信号の第１の補正量を設定するともに、目標色温度に対する過不足分の第２の補正量を求め、上記第１の補正量に加算して色温度補正の補正量を新たに設定する手段と、
上記新たに設定した補正量により上記蛍光体を励起して発光させるための信号を補正する手段と、
を備え、上記過不足分を補う色温度補正を自動的に行うことを特徴とする映像表示装置。
【発明の詳細な説明】
【０００１】
【発明の属する技術分野】
本発明は、蛍光体の発光により表示を行う映像表示装置の色温度補正技術に関する。
【０００２】
【従来の技術】
本発明に関連した従来技術としては、例えば特開２００３−２９６９９号公報（特許文献１）に記載されたものがある。該公報には、プラズマディスプレイパネル表示装置（以下、ＰＤＰ表示装置という）において、表示パネルの表示電極に設けた蛍光体の経時劣化に伴う赤（Ｒ）、緑（Ｇ）、青（Ｂ）の蛍光体の経時劣化特性が各々異なることによって発生する）色温度の変化を補正するために、その色温度補正量を、蛍光体の経時劣化に起因する発光の色度変化に基づき、装置の初期設定仕様として予め固定的に設定することが記載されている。そして、該固定設定した色温度補正量に対応するパルス数の表示用パルスを所定の補正時点において表示電極に印加し、色温度補正を行うようにしている。
【０００３】
【特許文献１】
特開２００３−２９６９９号公報
【０００４】
【発明が解決しようとする課題】
例えば上記公報記載の従来技術では、個々の表示パネル毎に蛍光体の経時劣化特性にばらつきがあるために、予め初期に固定的に設定した色温度補正量では補正の過不足が生じる可能性がある。従って、表示パネルによっては、蛍光体の経時変化に伴う色温度変化を良好に補正できない場合がある。
本発明の課題点は、かかる従来技術の状況に鑑み、映像表示装置において、表示パネル個々における蛍光体の経時劣化特性のばらつきにも対応可能な色温度補正ができるようにすることである。
本発明の目的は、上記課題点を解決し、映像表示装置において、色温度の低下及び色度の変化を良好に補正して、長期的に高画質な映像を表示可能な技術の提供にある。
【０００５】
【課題を解決するための手段】
上記課題点を解決するために、本発明では、映像表示装置において、赤（Ｒ）、緑（Ｇ）、青（Ｂ）の各蛍光体の経時劣化に伴う色温度の変化量のうち予測される分と予測されない分との両方につき色温度補正（色温度及び色度における目標値からのずれ補正）を行う。予測される分の補正は、予め各蛍光体の経時劣化に対応する放電パルス数を設定して記憶しておき、これに基づき自動的に色温度補正を行う。予測されない分の補正は、累積経過時間の第１の時点で、まず、目標の色温度に対する過不足分の放電パルス数を求めて記憶しておくか、または、該過不足分に基づきその後の第２の時点で行う色温度補正の色温度補正量または放電パルス数を該第１の時点において予め設定して記憶しておく。そして、次に第２の時点で、例えば装置電源がオン状態とされる毎に、該記憶した情報に基づく自動色温度補正を実施する。
【０００６】
上記予測されない分の補正において、上記第１の時点で過不足分の放電パルス数を求めて記憶しておく場合は、第２の時点で、例えば装置電源がオン状態とされる毎に、該過不足分の放電パルス数と、過去の基準時点から該第１の時点までに該装置が自動的に実施した色温度補正の回数とから、上記自動的に実施した色温度補正回数１回あたりの放電パルス数を、追加放電パルス数として演算し、該演算した追加放電パルス数に基づき、該第２の時点における合計放電パルス数を設定し、これに基づき色温度補正を行う。また、上記第１の時点で求めた過不足分に基づき、その後の第２の時点で行う色温度補正の放電パルス数を該第１の時点において予め設定して記憶しておく場合は、該第１の時点で、該過不足分の放電パルス数を記憶するとともに、該過不足分の放電パルス数と、過去の基準時点から該第１の時点までに該装置が自動的に実施した色温度補正の回数とから、上記自動的に実施した色温度補正回数１回あたりの該過不足分の放電パルス数を、追加放電パルス数として演算し、記憶する（記憶しない場合もある）。さらに、該追加放電パルス数に基づき合計放電パルス数を予め設定して記憶し、第２の時点においては、例えば装置電源がオン状態とされる毎に、上記第１の時点で予め設定した合計放電パルス数に基づく色温度補正を自動的に行う。
具体的には、上記技術を基本要件とした映像表示装置、色温度補正回路及び色温度補正方法を本発明として提案する。
【０００７】
【発明の実施の形態】
以下、本発明の実施例につき、図面を用いて説明する。
図１〜図７は本発明の実施例の説明図である。図１は、本発明の実施例としての映像表示装置の構成例図、図２は、図１の映像表示装置における色温度の劣化及び目標とする色度とその補正の説明図、図３は、図１の映像表示装置における色温度補正の概念を示すブロック図、図４は、図１の映像表示装置における色温度補正動作の流れを示す図、図５は、図１の映像表示装置における色温度補正動作のうち過不足分の色温度補正量を求める動作の説明図、図６は、上記求めた過不足分の色温度補正量に基づき、該過不足分を補う新たな色温度補正情報を設定する動作の説明図、図７は、図１の映像表示装置における色温度補正のシミュレーション結果の例を示す図である。
【０００８】
ＰＤＰ表示装置においては、Ｒ、Ｇ、Ｂの各蛍光体の経時劣化特性が異なっており、例えばＧまたはＢの蛍光体は、Ｒの蛍光体に比べて経時劣化量が大きい。このため、ＰＤＰ表示装置の駆動時間が長くなると、全体的に赤色または黄色がかった映像となり、色温度が低下する。本発明はこのような色温度の経時的低下を良好に補正可能とするものである。
【０００９】
本実施例では、ＰＤＰ表示装置の駆動時間の経過とともに起こる色温度の低下及び目標値からのずれに対しては、放電パルスの数を制御し、これによって表示電極部の蛍光体の発光を制御することで該色温度及び色度を補正し、映像の品位を維持するようにする。すなわち、マイクロコンピュータを含むＣＰＵ等の演算制御手段によって表示用の放電パルスの数（放電パルス数）を、蛍光体の劣化状態に対応して制御し該劣化を補正するパルス数とし、該制御したパルス数の放電パルスを表示電極に印加して、該表示電極部の赤色発光用蛍光体、緑色発光用蛍光体、青色発光用蛍光体のそれぞれを励起して発光させ、上記色温度の低下分を補正する。ここで、色温度とは、画面上に白色の映像を表示したときの表示色温度を基準とする。
【００１０】
図１において、３０２は装置の累積駆動経過時間をカウントする累積経過時間カウンタ、３０３は演算制御手段としてのＣＰＵ、３０１は、色温度補正量、放電パルス数、色温度補正開始時刻などの情報を記憶する記憶手段としてのデータメモリ、３０４は、チューナなど外部装置（図示なし）からのデジタル映像信号の赤色、緑色、青色の各輝度レベルを示す画素単位のフィールドデータを記憶するフィールドメモリ、３０５は、データメモリ３０１に記憶されている情報に基づき、１フィールドあたりの放電パルス数を設定する処理や、１フィールドを所定数のサブフィールドに分割する処理や、各サブフィールドの発光・非発光を表すサブフィールドデータの形成処理を行い、フィールドデータに応じた該サブフィールドデータを出力するデータ処理回路、３０６は、サブフィールドデータを記憶するサブフィールドメモリ、３０７は、サブフィールドメモリ３０６から適宜読み出したサブフィールドデータに基づき、ＰＤＰ表示部（後出）を駆動するための駆動信号としてのデジタル映像信号を形成し出力するＰＤＰドライバ、１００は、上記ＰＤＰドライバ３０７からのデジタル映像信号により表示電極部（図示なし）の蛍光体（図示なし）が発光し映像表示を行うＰＤＰ表示部、３０８は、上記データ処理回路３０５、上記サブフィールドメモリ３０６、上記ＰＤＰドライバ３０７などを含んで構成され、ＣＰＵ３０３で制御されて上記ＰＤＰ表示部１００を駆動する駆動回路、３１０は、ＰＤＰ表示装置を操作するリモコンなどの赤外線発生装置、３０９は、赤外線発生装置３１０から送信された赤外線信号を受光する受光部である。
【００１１】
色温度の補正は、Ｒ、Ｇ、Ｂ各蛍光体の経時劣化に伴う色温度の経時変化量のうち、予測される分と予測されない分との両方につき実施する。
予測される分の補正は、初期時点すなわち駆動累積経過時間がゼロの時点において予め、経時劣化量に対応する放電パルス数などをＣＰＵ３０３により設定してデータメモリ３０１に記憶しておき、これに基づき自動的に行う。すなわち、上記図１の構成において、まず、初期時点すなわち駆動累積経過時間がゼロの時点においては、ＣＰＵ３０３により、ＰＤＰ表示部１００の表示電極部のＲ、Ｇ、Ｂの各蛍光体の原色単位ベクトルとしての（Ｒ）（赤色の原色単位ベクトル）、（Ｇ）（緑色の原色単位ベクトル）、（Ｂ）（青色の原色単位ベクトル）が所定の色温度の白色となるように、各色の色温度（それぞれＲ値、Ｇ値、Ｂ値とする）を設定するとともに、各蛍光体につき駆動累積経過時間に対する劣化（経時劣化）を予め予測し、これを補正する放電パルス数などの情報とともにデータメモリ３０１に記憶しておく。データメモリ３０１には、該駆動累積経過時間がゼロの時点においては、該ゼロ時点の各蛍光体それぞれに対応して設定した色温度、それに対応する放電パルス数、今後駆動時間の経過とともに行う色温度補正の実施時刻Ｔｉ、該実施時刻Ｔｉ時における色温度劣化量を予測して設定した各蛍光体の色温度補正量、該色温度補正量に対応した実施時刻Ｔｉ時の補正回数１回あたりの補正放電パルス数△Ｘｉ、該補正放電パルス数△Ｘｉを含む実施時刻Ｔｉ時の補正回数１回あたりの全放電パルス数Ｐｉなどの情報を予め設定情報として記憶しておく。設定する実施時刻Ｔｉとしては、例えば、駆動経過時間上でＴ１（ｉ＝１）、Ｔ２（ｉ＝２）、Ｔ３（ｉ＝３）、…Ｔｎ（ｉ＝ｎ）…ＴＮ（ｉ＝Ｎ）の複数Ｎの時点を設定する。時間間隔は等間隔でもよいし、不等間隔でもよい。補正放電パルス数△ＸｉはＲ、Ｇ、Ｂの蛍光体の経時劣化特性の相違に対応して、Ｒ、Ｇ、Ｂ毎に個別に設定されている。
【００１２】
初期時点から駆動時間が経過し、上記累積経過時間カウンタ３０２によるカウントの結果、上記設定された実施時刻Ｔ１になったとき、上記データメモリ３０１から、予め設定された該時刻Ｔ１での必要補正情報を読み出し、第１回目の色温度補正を自動的に実施する。該色温度補正は、該時刻Ｔ１において、上記ＣＰＵ３０３が上記データメモリ３０１から、予め設定された該時刻Ｔ１での全放電パルス数Ｐｉなどの補正情報を自動的に読み出し、該読み出した補正情報に基づき、上記データ処理回路３０５に対しては、１フィールドあたりの放電パルス数を上記補正情報に対応したパルス数とするよう指示するとともに、所定の階調に対応したサブフィールドデータを形成するように指示し、上記サブフィールドメモリ３０６に対しては、上記形成されたサブフィールドデータの記憶を指示する。ＰＤＰドライバ３０７は、上記サブフィールドメモリ３０６からサブフィールドデータを読み出し、該読み出したサブフィールドデータに基づき上記色温度補正量に対応した放電パルス数のデジタル映像信号を形成し、該デジタル映像信号によりＰＤＰ表示部１００の表示電極部を駆動し、該電極部の蛍光体を発光させ、色温度補正した映像を表示させる。
【００１３】
駆動時間がさらに経過し、上記累積経過時間カウンタ３０２によるカウントの結果、上記実施時刻Ｔ２になったときは、上記データメモリ３０１から、予め設定されている該時刻Ｔ２での必要補正情報を読み出し、第２回目の色温度補正を、上記第１回目の場合と同様にして、自動的に実施する。駆動時間がさらに経過して、実施時刻Ｔ３、…Ｔｎ、…ＴＮになった場合も同様である。このようにして、予め設定し記憶した色温度補正情報に基づき、上記Ｎ回の色温度補正を第１の補正として自動的に行う。
【００１４】
また、予測されない分の補正は、累積経過時間の第１の時点で、まず、目標の色温度または色度に対する過不足分すなわち上記予測される分の色温度補正を行った状態での過不足分の補正量（放電パルス数）を、例えばリモコンなどの赤外線発生装置３１０からの指示による手動操作などによって求めるとともに、該求めた過不足分の放電パルス数を、ＣＰＵ３０３の指示により、データメモリ３０１に記憶しておくか、または、該過不足分に基づきその後の第２の時点で行う色温度補正の放電パルス数を該第１の時点において予めＣＰＵ３０３により設定し、データメモリ３０１に記憶しておく。そして、次の例えば装置電源がオン状態とされる第２の時点で、ＣＰＵ３０３による制御により、該記憶した情報に基づき、上記予測される分の補正である第１の補正を補足するように、第２の補正（第１の補正＋追加分の補正）としての自動補正を実施する。
【００１５】
上記第１の時点で過不足分の放電パルス数を求めてデータメモリ３０１に記憶しておく場合は、該第１の時点から所定時間経過して例えば装置電源がオン状態とされる第２の時点で、ＣＰＵ３０３により、該過不足分の放電パルス数と、過去の基準時点（例えば初期時点（＝累積駆動経過時間ゼロの時点））から該第１の時点までに該装置が自動的に上記第１の補正として実施した色温度補正の回数とから、上記第１の補正で実施した色温度補正回数１回あたりの該過不足分の放電パルス数をそれぞれ、追加放電パルス数として演算してデータメモリ３０１の所定のアドレスに記憶するとともに、該追加放電パルス数に基づき、該第２の時点における合計放電パルス数を設定し、これに基づき色温度補正を行い、上記過不足分も補正するようにする。また、上記第１の時点で求めた過不足分に基づき、その後の第２の時点で実施する色温度補正の放電パルス数を該第１の時点において予め設定してデータメモリ３０１の所定のアドレスに記憶しておく場合は、該第１の時点で、該過不足分の放電パルス数をデータメモリ３０１に記憶するとともに、ＣＰＵ３０３により、該過不足分の色温度補正量またはこれに対応した放電パルス数と、過去の基準時点から該第１の時点までに該装置が自動的に実施した色温度補正の回数とから、上記第１の補正で自動的に実施した色温度補正回数１回あたりの該過不足分の放電パルス数を、追加放電パルス数として演算してデータメモリ３０１の所定のアドレスに記憶する。さらに、該追加放電パルス数に基づき、合計放電パルス数を予め設定してデータメモリ３０１の所定のアドレスに記憶し、例えば装置電源がオン状態とされる第２の時点においては、上記第１の時点で予め設定した合計の放電パルス数に基づく色温度補正を自動的に行い、上記過不足分も補償するようにする。
【００１６】
本実施例では、補正放電パルス数△Ｘｉの値を１種類として説明したが、該補正放電パルス数△Ｘｉの値を予め複数としておいてもよい。例えば該補正放電パルス数△Ｘｉの値を弱、中、強の３種類とし、これを必要に応じて切換えて、補正に強弱をつけるようにしてもよい。そして、上記手動操作の時点で、これまでの自動補正による補正量に過不足が生じた場合には、上記３種類の補正放電パルス数△Ｘｉの値のうちの適切な１つの値に切換えるようにしてもよい。例えば、手動操作以前において、補正放電パルス数△Ｘｉの値として、「弱」を選択していた場合には、手動操作の場合には「中」に切換えて以降の補正を強めるようにしてもよい。
【００１７】
図２は、図１の映像表示装置における色温度の劣化とその補正の説明図である。
図２において、▲１▼は完全黒体の色温度特性であり、Ｒ、Ｇ、Ｂ各蛍光体の発光による白色色温度の基準となる特性である。▲２▼は予測劣化特性、▲３▼は蛍光体の予測劣化に対応し予め設定された色温度補正量、▲４▼は実際の色温度劣化特性、▲５▼ａは予測劣化に対応し予め設定された色温度補正量（＝補正量▲３▼）、▲５▼ｂは予測されない劣化に対する色温度補正量、▲６▼は実際の劣化特性、▲７▼は予測されない劣化に対する分も含めた色温度補正量、Ａは、初期時点すなわち累積駆動経過時間がゼロの時点であって、上記第１の補正として、予測劣化特性に基づく放電パルス数の設定及び記憶を行う時点、Ｂは、時点Ａで設定かつ記憶した色温度補正情報に基づき上記第１の補正としてのｎ回目の自動補正を実施した後の時点であって、予測されない劣化分による放電パルス数の過不足分を、例えば手動操作などによって求める時点（上記第１の時点に相当）、Ｃは、時点Ａで設定かつ記憶した色温度補正情報に基づき上記第１の補正としてのｎ回目の自動補正を開始する時点、Ｄは、時点Ｂで求めた過不足分の放電パルス数を記憶するか、または、該過不足分に基づき後の第２の時点で行う色温度補正の放電パルス数を予め設定して記憶しておく時点（これも上記第１の時点に相当）、Ｅは、上記第１の補正における過不足分を補償すべく、時点Ｄで設定または記憶した色温度補正情報に基づき上記第２の補正としてのｎ＋１回目の自動補正を実施する時点（上記第２の時点に相当）である。すなわち、本実施例の場合は、初期時点Ａで設定、記憶した色温度補正情報に基づき、第１の補正としてｎ回目までの自動補正を行い、時点Ｂで過不足分の放電パルス数を求め、時点Ｄでこれに基づいて記憶した色温度補正情報に基づき第２の補正としてｎ＋１回目以降の自動補正を行う。第２の補正は、例えば、装置電源がオン状態にされる毎に実施されるようにする。
【００１８】
図３は、図１の映像表示装置における第２の補正としての色温度補正の概念図である。本概念は、第１の時点（図２中の時点Ｂ）で求めた過不足分の色温度補正情報（放電パルス数）に基づく第２の補正用の補正動作１回あたりの放電パルス数の演算、設定、記憶を第２の時点（図２中の時点Ｅ）で行う場合の例である。（ａ）は、例えば、装置電源がオン状態にされる毎に実施される第２の補正としての自動補正における放電パルス数の加算の概念を示し、（ｂ）は、（ａ）における加算用の追加放電パルス数を演算する概念を示す。
【００１９】
図３（ａ）において、第１の時点（図２中の時点Ｂ）で求めた過不足分の色温度補正情報（放電パルス数）に基づく第２の補正用の補正動作１回あたりの合計の放電パルス数Ｐｉは、ＣＰＵにより、初期時点（図２中の時点Ａ）において設定される放電パルス数の初期値Ｐｉ０と、累積駆動経過時間がゼロの初期時点（図２中の時点Ａ）において予測劣化特性に基づき設定し記憶された第１の補正用の自動補正動作１回あたりの放電パルス数△Ｘｉと、上記過不足分の放電パルス数であって第１の補正用の自動補正動作１回あたりの放電パルス数（追加放電パルス数）△Ｘｉ’との和として、第２の時点（図２中の時点Ｅ）において求められる。また、図３（ｂ）において、第１の補正用の自動補正動作１回あたりの放電パルス数（追加放電パルス数）△Ｘｉ’は、まず、第１の時点（図２中の時点Ｂ）で手動操作などにより、過不足分の色温度補正を実施する前の合計放電パルス数Ｐｉｂと実施後の合計放電パルス数Ｐｉａとの差△Ｘを求め、次に、第２の時点（図２中の時点Ｅ）でＣＰＵにより、△Ｘを第１の補正における自動補正動作回数ｎで除して該自動補正動作１回あたりの上記放電パルス数（追加放電パルス数）△Ｘｉ’を演算する。
【００２０】
図４は、図１の映像表示装置の色温度補正動作の流れを示す図である。本補正動作は、第１の時点（図２中の時点Ｂ）で過不足分の色温度補正情報（放電パルス数）を求め、これに基づき第２の補正として上記図３（ａ）、（ｂ）の概念の自動補正を行う場合の動作に相当する。
図４において、
（１）手動操作などにより、第１の時点（図２中の時点Ｂ）での補正を開始する（ステップＳ４０１）。
（２）第１の時点（図２中の時点Ｂ）でリモコン等による手動操作などにより、過不足分の色温度補正を実施する前の合計放電パルス数Ｐｉｂと実施後の合計放電パルス数Ｐｉａとの差△Ｘを求め、これを過不足分の色温度補正量に対応した放電パルス数とする（ステップＳ４０２）。
（３）次に、第２の時点（図２中の時点Ｅ）で例えば装置電源をオン状態にしたとき、上記差△Ｘを第１の補正における自動補正動作回数ｎで除して該自動補正動作１回あたりの放電パルス数（追加放電パルス数）△Ｘｉ’を演算する（ステップＳ４０３）。
（４）上記求めた放電パルス数（追加放電パルス数）△Ｘｉ’と、累積駆動経過時間がゼロの初期時点（図２中の時点Ａ）において予測劣化特性に基づき設定し記憶された第１の補正用の自動補正動作１回あたりの放電パルス数△Ｘｉとを加算して、第２の補正用の合計の色温度補正量に対応した放電パルス数求め、これに基づき色温度補正を実行する（ステップＳ４０４）。
（５）第２の補正としての少なくとも１回の色温度補正動作を終了する（ステップＳ４０５）。
（６）さらに、いったん例えば装置電源を切ってオフ状態にし、再びオン状態にしたときは、上記ステップＳ４０３〜ステップＳ４０５の一連の自動色温度補正の動作を再び行う。
【００２１】
図５は、図１の映像表示装置における色温度補正動作のうち、図２中に示す時点Ｂ（第１の時点に相当）において過不足分の色温度補正量を求める動作の流れを示す図である。
図５において、
（１）蛍光体の経時劣化特性の予測されない劣化分による色温度補正量（放電パルス数）の過不足分の補正を、赤外線発生装置３１０（図１）等による操作などによって開始する（ステップＳ５０１）。
（２）上記色温度補正量（放電パルス数）を可変することで適正値（放電パルス数）を特定し上記過不足分（放電パルス数）を求め、色温度補正を行う（ステップＳ５０２）。すなわち、過不足分の色温度補正を実施するとともに、上記図３で述べたように、該過不足分の色温度補正を実施する前の合計放電パルス数Ｐｉｂと実施後の合計放電パルス数Ｐｉａとの差△Ｘを求める。
（３）例えば自動補正切替えスイッチなどがオフ状態にあり自動色温度補正がオフ状態にあるか否か、または、自動補正切替えスイッチなどがオン状態にあっても自動色温度補正の回数がゼロか否かを判別する（ステップＳ５０３）。
（４）上記判別の結果、自動色温度補正がオフ状態でなくまたは自動色温度補正の回数がゼロでない場合は、上記求めた過不足分の放電パルス数を、データメモリ３０１（図１）の追加色温度補正分格納用の所定のアドレスに記憶する（ステップＳ５０４）。
（５）前にも過不足分を求めることを行っているか否か、行っている場合は、今回と同じ自動色温度補正回数の時点で行っているか否かを判別する（ステップＳ５０５）。
（６）上記ステップＳ５０５の判別の結果、今回は、過不足分を求めるのを前回とは違う自動色温度補正回数の時点で行うと判別された場合は、これまでに実施された自動色温度補正回数を、データメモリ３０１（図１）の所定のアドレスに記憶する（ステップＳ５０６）。
（７）上記過不足分を求めかつその分の色温度補正を終了する（ステップＳ５０８）。
（８）上記ステップＳ５０３の判別の結果、自動色温度補正がオフ状態または自動色温度補正の回数がゼロの場合は、上記求めた過不足分の放電パルス数を、データメモリ３０１（図１）の例えば初期色温度補正分格納用の所定のアドレスに記憶し（ステップＳ５０７）、上記過不足分の放電パルス数を求めかつその分の色温度補正を終了する（ステップＳ５０８）。
（９）また、上記ステップＳ５０５の判別で、今回は、過不足分の放電パルス数を求めるのを前回と同じ自動色温度補正回数の時点で行うと判別された場合は、これまでに実施された自動色温度補正回数は既に前回の動作においてデータメモリ３０１（図１）の所定のアドレスに記憶してあるため、今回は記憶せずに色温度補正を終了する（ステップＳ５０８）。
【００２２】
図６は、上記図５の動作により求めた上記過不足分の放電パルス数に基づき、例えば装置電源がオン状態とされる毎に実施される時点（図２中の時点Ｅ）で、該過不足分を補うための新たな放電パルス数を設定する場合の動作説明図である。
図６において、
（１）まず、例えば装置電源がオン状態とされる毎に、上記過不足分の色温度補正情報の設定動作を開始する（ステップＳ６０１）。
（２）上記図５におけるステップＳ５０４において記憶した過不足分の放電パルス数と、上記図５のステップＳ５０６において記憶した自動色温度補正回数とを読み出し、該自動色温度補正回数１回あたりの該過不足分の放電パルス数を追加放電パルス数として演算する（ステップＳ６０２）。
（３）現時点が、所定の色温度補正回数に達しているか否かを判別する（ステップＳ６０３）。
（４）上記判別の結果、上記所定の色温度補正回数に達していない場合は、上記演算した追加放電パルス数を、予め蛍光体の経時劣化特性を予測しこれに対応して設定し記憶しておいた放電パルス数に加算して新たな色温度補正情報（放電パルス数）を設定する（ステップＳ６０４）。
（５）上記新たな色温度補正情報（放電パルス数）を設定後は再び、上記ステップＳ６０３の判別を行い、該判別の結果、現時点が、所定の色温度補正回数に達しているとされる場合には、上記新たな色温度補正情報（放電パルス数）の設定動作を終了する（ステップＳ６０５）。
【００２３】
図７は、図１の映像表示装置における色温度補正のシミュレーション結果の例を示す図である。（ａ）は色温度補正の実施時点を示し、（ｂ）は各時点における放電パルス数を示す。
図７（ａ）において、Ｔ０は累積駆動経過時間がゼロの、例えば出荷時点等の初期時点（時刻）、Ｔ１、Ｔ２、Ｔ３、Ｔ４は初期時点（時刻）Ｔ０を含む累積駆動経過時間がゼロの時点において蛍光体の予測劣化特性に基づき設定し記憶した放電パルス数により、第１の補正としての自動色温度補正を自動的に実施する時点（時刻）、Ｔｍは、手動操作により、過不足分の色温度補正を実施するとともに該過不足分の色温度補正情報（放電パルス数）を求める時点（時刻）、Ｔ３、Ｔ４はまた、上記時点Ｔｍで求めた過不足分の放電パルス数に基づき新たに演算した放電パルス数で第２の補正としての自動色温度補正を実施する時点（時刻）でもある。時点（時刻）Ｔ１、Ｔ２、Ｔ３、Ｔ４は、累積駆動経過時間がゼロの時点において予め設定され、該各時点でＣＰＵ３０３により色温度補正が自動的に実施される。
【００２４】
図７（ｂ）において、例えば、時点Ｔ０では赤（Ｒ）の放電パルス数レベルを２５３、緑（Ｇ）の放電パルス数レベルを２５２、青（Ｂ）の放電パルス数レベルを２５５とし、時点Ｔ１では赤（Ｒ）の放電パルス数レベルを２５１、緑（Ｇ）の放電パルス数レベルを２５１、青（Ｂ）の放電パルス数レベルを２５５とし、時点Ｔ２では赤（Ｒ）の放電パルス数レベルを２４９、緑（Ｇ）の放電パルス数レベルを２５０、青（Ｂ）の放電パルス数レベルを２５５とする。次に、時点Ｔｍで過不足分の色温度補正を実施した結果、赤（Ｒ）の放電パルス数レベルは２４７、緑（Ｇ）の放電パルス数レベルは２４８、青（Ｂ）の放電パルス数レベルは２５５になったとする。この結果から、時点（時刻）Ｔ１、Ｔ２での計２回の補正による色温度補正における放電パルス数レベルの不足分は、赤（Ｒ）では、２４９−２４７＝２、従って色温度補正１回あたりの不足分（追加放電パルス数△Ｘｉ’）は１となり、緑（Ｇ）では、２５０−２４８＝２、従って色温度補正１回あたりの不足分（追加放電パルス数△Ｘｉ’）は１となり、青（Ｂ）では、２５５−２５５＝０、従って色温度補正１回あたりの不足分（追加放電パルス数△Ｘｉ’）は０となる。この結果、次の時点（時刻）Ｔ３での放電パルス数レベルの補正分は、時点（時刻）Ｔ１、Ｔ２それぞれでの補正分△Ｘｉ（赤（Ｒ）では２、緑（Ｇ）では１、青（Ｂ）では０）に、上記不足分△Ｘｉ’（赤（Ｒ）では１、緑（Ｇ）でも１、青（Ｂ）では０）を加えた値となり、赤（Ｒ）では３、緑（Ｇ）では２、青（Ｂ）では０となる。従って、時点（時刻）Ｔ３での放電パルス数レベルは、赤（Ｒ）は２４７−３＝２４４、緑（Ｇ）では２４８−２＝２４６、青（Ｂ）では２５５−０＝２５５となる。時点（時刻）Ｔ４でも同様に、赤（Ｒ）は２４４−３＝２４１、緑（Ｇ）では２４６−２＝２４４、青（Ｂ）では２５５−０＝２５５となる。上記例では、時点（時刻）Ｔ２における補正分を、Ｔ１における補正分と同じとしているが、異なる値としてもよい。Ｔ３、Ｔ４における補正分についても同様である。
【００２５】
なお、上記実施例において上記図３〜図６の説明では、第１の時点（図２中の時点Ｂ）で求めた過不足分の色温度補正情報に基づく第２の補正用の補正動作１回あたりの放電パルス数の演算、設定、記憶と、第２の補正用の放電パルス数の演算、設定とを第２の時点（図２中の時点Ｅ）で行う場合につき説明したが、該第２の時点ではこれら演算、設定結果の情報を記憶しない構成としてもよい。また、該補正動作１回あたりの放電パルス数の演算、設定、記憶、及び、これに基づく該第２の補正用の放電パルス数の演算、設定などは、該第２の時点よりも早い第１の時点（図２中の時点Ｂ）で予め行っておいてもよい。また、上記実施例では、映像表示装置として、ＰＤＰ表示装置の場合につき説明したが、本発明はこれに限定されず、他の映像表示装置であってもよい。すなわち、本発明は、少なくとも、Ｒ、Ｇ、Ｂの３種類の蛍光体を励起して発光させる映像表示装置であれば同様に適用できる。例えば、このような映像表示装置として、フィールド・エミッション・ディスプレイ（ＦＥＤ）が挙げられる。ＦＥＤの場合は、蛍光体を励起する電子の量を制御する駆動信号（電子放出素子を駆動するための信号）を、Ｒ、Ｇ、Ｂ毎に補正すればよい。
【００２６】
上記実施例によれば、映像表示装置において、個々の装置の表示部の蛍光体の経時劣化特性にばらつきがある場合も、白色の色温度の低下及び目標色度からのずれに対し過不足を補うことでこれに対応でき、良好に色温度補正して、高画質な映像を表示することができる。また、初期時点における色温度補正の精度が粗くても、経過時間の途中で補正状態を修正し該補正精度の向上を図ることができる。
【００２７】
【発明の効果】
本発明によれば、映像表示装置において、表示部の蛍光体の経時劣化に起因する白色の色温度の低下及び目標色度からのずれに対し過不足を補い、良好に色温度補正を行うことができる。
【図面の簡単な説明】
【図１】本発明の実施例としての映像表示装置の構成例図である。
【図２】図１の映像表示装置における色温度の劣化とその補正の説明図である。
【図３】図１の映像表示装置における色温度補正の概念を示すブロック図である。
【図４】図１の映像表示装置における色温度補正動作の流れを示す図である。
【図５】図１の映像表示装置における色温度補正動作のうち過不足分の色温度補正情報を求める動作の説明図である。
【図６】過不足分の色温度補正情報に基づき新たな色温度補正情報を設定する動作の説明図である。
【図７】図１の映像表示装置における色温度補正のシミュレーション結果例を示す図である。
【符号の説明】
１００…ＰＤＰ表示部、  ３０２…累積経過時間カウンタ、  ３０３…ＣＰＵ、  ３０１…データメモリ、  ３０４…フィールドメモリ、  ３０５…データ処理回路、  ３０６…サブフィールドメモリ、  ３０７…ＰＤＰドライバ、  ３０８…駆動回路、  ３０９…受光部、  ３１０…赤外線発生装置。
【図１】
2005055526.tif 000003
【図２】
2005055526.tif 000004
【図３】
2005055526.tif 000005
【図４】
2005055526.tif 000006
【図５】
2005055526.tif 000007
【図６】
2005055526.tif 000008
【図７】
2005055526.tif 000009